(57)【要約】【課題】造花を物品の所望の位置に確実に取り付けることができる造花形成用リボンを提供すること。【解決手段】造花形成用リボン（１０）は、互いに重ね合わされた一対のストリップ（１２）と、両ストリップ間をこれらの長手方向へ伸びる一対の紐（１４）と、両紐を互いに連結する弾性部材（１６）とを含む。両ストリップは紐に対して紐の長手方向へ相対移動が可能であるように両ストリップの長手方向に関して互いに間隔をおかれた複数の線（Ｌ）の各線上の少なくとも二箇所（１８）で互いに結合されている。紐はこれらの端部において両ストリップの端部でストリップに結合されている。【選択図】図１
0003116547.tif 000002
【実用新案登録請求の範囲】
【請求項１】
互いに重ね合わされた一対のストリップと、両ストリップ間をこれらの長手方向へ伸びる一対の紐と、両紐を互いに連結する弾性部材とを含み、
両ストリップは前記紐に対して該紐の長手方向へ相対移動が可能であるように両ストリップの長手方向に関して互いに間隔をおかれた複数の線の各線上の少なくとも二箇所で互いに結合され、また前記紐はこれらの端部において両ストリップの端部で該ストリップに結合されている、造花形成用リボン。
【請求項２】
前記弾性部材は細長い薄片からなり、該薄片は両紐間に折り畳まれた状態で配置されかつその両端部がそれぞれ両紐に結合されている、請求項１に記載の造花形成用リボン。
【請求項３】
前記薄片の両端部と、折り重ねられた前記両端部間の部分とが、それぞれ、前記紐の端部の側と該端部と反対の端部の側とに位置する、請求項２に記載の造花形成用リボン。
【請求項４】
前記弾性部材は、ポリウレタン樹脂製の薄片からなる、請求項１に記載の造花形成用リボン。
【請求項５】
前記弾性部材は、ゴム製の薄片からなる、請求項１に記載の造花形成用リボン。
【考案の詳細な説明】
【技術分野】
【０００１】
本考案は、贈答品やその包装からなる物品の装飾に用いられる造花を形成するためのリボンに関する。
【背景技術】
【０００２】
従来、物品の装飾に用いられる造花を形成するためのリボンが提案されている。この造花形成用リボンは、互いに重ね合わされた一対のストリップと両ストリップの間に配置され該ストリップの長手方向へ伸びる一対の紐とを有する。両ストリップと両紐とはこれらの一端部で互いに結合され、両ストリップは両紐に対する長手方向への相対移動が可能であるように両ストリップの長手方向に関して間隔をおかれた複数の線の各線上の二箇所において互いに結合されている。
【特許文献１】実公昭６０−１４７２６号公報
【考案の開示】
【考案が解決しようとする課題】
【０００３】
この造花形成用リボンによれば、両紐に対して両ストリップをこれらの他端部がこれらの一端部に接近するように相対移動させると、両ストリップはこれらの結合箇所間でそれぞれ湾曲して複数のループに変化する。その結果、これらのループを花弁とする造花が形成され、両紐は前記造花から伸び出る。
【０００４】
形成された造花は、これから伸び出る両紐を物品に巻き付け、これらを互いに結び合わせることにより物品に固定することができる。
【０００５】
ところで、両紐の結び合わせの巧拙や対象物品の形状によっては該物品への前記造花の結び付けが弱く、前記造花の配置位置にずれが生じあるいは前記造花を所望の位置におくことができないことがあり、このため、十分な装飾効果が得られないことがある。
【０００６】
本考案の目的は、造花を物品の所望の位置に確実に取り付けることができる造花形成用リボンを提供することにある。
【課題を解決するための手段】
【０００７】
本考案に係る造花形成用リボンは、互いに重ね合わされた一対のストリップと、両ストリップ間をこれらの長手方向へ伸びる一対の紐と、両紐を互いに連結する弾性部材とを含み、両ストリップは前記紐に対して該紐の長手方向へ相対移動が可能であるように両ストリップの長手方向に関して互いに間隔をおかれた複数の線の各線上の少なくとも二箇所で互いに結合され、また前記紐はこれらの端部において両ストリップの端部で該ストリップに結合されている。
【０００８】
前記弾性部材は細長い薄片からなり、該薄片は両紐間に折り畳まれた状態で配置されかつその両端部がそれぞれ両紐に結合されているものとすることができる。このとき、好ましくは、前記薄片の両端部と、折り重ねられた前記両端部間の部分とが、それぞれ、前記紐の端部の側と該端部と反対の端部の側とに位置する。前記弾性部材は、好ましくは、ポリウレタン樹脂製又はゴム製の薄片からなる。
【考案の効果】
【０００９】
本考案によれば、両紐に対して両ストリップをこれらの端部に他の端部が近接するように長手方向へ相対移動させるとき、両ストリップはこれらの結合箇所間でそれぞれ湾曲して複数のループに変化する。その結果、これらのループを花弁とする造花が形成され、両紐は前記造花から伸び出る。
【００１０】
本考案にあっては、形成された造花から伸び出る両紐が、ポリウレタン樹脂やゴム製の薄片のような弾性部材によって互いに連結されている。このことから、前記弾性部材とこれにより連結された両紐の全部又は一部とが規定する輪が形成される。この輪は前記弾性部材を伸長させることにより大径にすることができるところ、前記弾性部材の弾性復帰性向ため、小径なものになろうとする傾向を有する。このため、装飾対象である物品にこれを前記輪で取り囲むように巻き掛けることにより、造花を物品に容易にまた所望の位置に止め付けることができ、また熟練を要することなしに見栄えの良い装飾を施すことができる。
【考案を実施するための最良の形態】
【００１１】
図１を参照すると、本考案に係る造花形成用リボン（以下単に「リボン」という。）が全体に符号１０で示されている。
【００１２】
リボン１０は、互いに重ね合わされた一対のストリップ１２と、両ストリップ１２の間に配置され両ストリップ１２の長手方向へ伸びる一対の紐１４と、両紐１４を連結する弾性部材１６とを備える。図示の例において、各紐１４は各ストリップ１２より小さい幅寸法を有し、弾性部材１６は例えばポリウレタン樹脂製、ゴム製等の矩形状の薄片からなり、紐１２より小さい幅寸法を有する。
【００１３】
両ストリップ１２と両紐１４とはこれらの一端部１２ａ，１４ａにおいて互いに結合されている。符号２０は両ストリップ１２および両紐１４のそれぞれの一端部における結合箇所を示す。
【００１４】
両ストリップ１２は、両ストリップ１２間の紐１４に対するこれらの長手方向への相対移動が可能であるように、両ストリップ１２の長手方向に互いに間隔をおかれた複数の線（仮想線）Ｌの各線上の少なくとも二箇所（結合個所）１８において、互いに結合されている。
【００１５】
ストリップ１２および紐１４は、それぞれ、例えばナイロン繊維やポリエステル繊維のような合成繊維製の織布からなり、溶接またはヒートシールにより互いに結合されている。
【００１６】
ストリップ１２および紐１４は、前記合成繊維製の織布の他、合成繊維製の不織布、ポリプロピレンやビニルのような合成樹脂製のテープ、紙製のテープ、天然繊維製の織布、天然繊維製の不織布等からなるものとすることができる。両ストリップ１２の一端部および紐１４の一端部の相互結合および両ストリップ１２の相互結合は、前記溶接またはヒートシールに代えて、例えば接着剤による接着、糸による縫い合わせ、鳩目、ホッチキスによる綴じ合わせ等により行なうことができる。なお、両紐１４は図示の例のように互いに重ね合わされていることが望ましい。
【００１７】
複数の線Ｌはそれぞれ両ストリップ１２を斜めに横切り、傾斜方向は交互に変化している。各線Ｌが両ストリップ１２を横切る角度は任意に定めることができる。両ストリップ１２を横断する線Ｌの角度の大きさに応じて、後記造花２２の互いに対をなす花弁相互の開き角度と、紐１４の周りの各対の花弁相互の相対位置が変化する。また、線Ｌの相互間隔を任意に定めることができる。線Ｌの相互間隔の長さにより花弁の大きさが定まる。さらに、線Ｌの数量も任意に定めることができ、線Ｌの数に応じて、花弁の数量が変わる。
【００１８】
弾性部材１６の一例をなす細長い薄片は、両紐１４間にあって、折り重ねられかつその両端部１６ａがそれぞれ両紐１４の互いに相対する面に接合されている。好ましくは、薄片１６の両端部１６ａとこれらの間の中間部１６ｂとがそれぞれ両紐１４の一端部１４ａの側と他端部１４ｂの側とに位置するように配置されている。この例によれば、弾性部材１６が配置された個所における両紐１４の厚さ方向に関する膨らみの程度をより小さいものとすることができ、これにより、両ストリップ１２の両紐１４に対する相対移動時、両紐１４が両結合個所１８間をよりスムーズに移動することができる。
【００１９】
両紐１４に対する弾性部材１６の接合は、これらの材質を考慮して、溶接やヒートシール、接着剤による接着、糸による縫い合わせ、鳩目等により、行うことができる。
【００２０】
弾性部材１６で両紐１４を連結したことにより、両紐１４の一部と弾性部材１６とにより規定された輪が形成される。この輪については後に詳述する。また、弾性部材１６の両紐１４に対する取付位置は任意に選択することができ、弾性部材１６の前記両紐に対する取付位置により、また弾性部材１６の長さ寸法により前記輪の大きさが変化する。なお、両紐１４への前記薄片の取付態様は、両紐１４の両結合個所１８間の移動を阻害するものでない限り、図示の例に限らず、任意に選択することができる。また、弾性部材１６は、前記矩形以外の他の形状の薄片とし、あるいは前記薄片以外の例えば線状体片とすることができる。
【００２１】
図２に示すように、両紐１４に対して両ストリップ１２の他端部１２ｂをこれらの一端部１２ａに向けて相対移動をさせると、両紐１４及び両紐１４間の弾性部材１６が結合個所１８間を通過し、両ストリップ１２の互いに隣接する線Ｌ間の各ストリップの一部１２ｃと、両ストリップの一端部１２ａとこれに隣接する線Ｌとの間の各ストリップの一部１２ｄとがそれぞれ外方に膨らむ。
【００２２】
前記相対移動を続けると、両ストリップ１２の長手方向に互いに隣接する両線Ｌが近接し、また、先端の結合箇所１６とこれに隣接する線Ｌとが互いに近接し、各ストリップ部分１２ｃ，１２ｄはループに変形する。その結果、ループ状の各ストリップ部分１２ｃ，１２ｄを花弁とする造花２２（図３参照）が形成される。造花２２の下部すなわち両ストリップの他端部１２ｂに最も近い線Ｌ上の両結合箇所１８間からは両紐１４が伸び出る。
【００２３】
両紐１４はこれらの一端部１４ａで互いに結合されかつ弾性部材１６で連結されているため、両紐１４の一部分である両紐１４の一端部１４ａと弾性部材１６との間の部分１４ｃ（図３及び図４参照）と、弾性部材１６とが輪を規定する。この輪は弾性部材１６の伸長により拡径が可能である。このため、両部分１４ｃを引っ張ってこの輪を広げることにより、前記輪を物品、例えば贈答品の包装箱２４に掛けることができ、前記引っ張り状態を解除すると弾性部材１６が収縮し、前記輪が包装箱２４を軽く締め付ける。その結果、造花２２が包装箱２４に取り付けられる。
【００２４】
なお、造花２２が前記物品に取り付けられるとき、弾性部材１６が伸長状態におかれるように、前記輪の大きさが設定される。前記輪の大きさは、両紐１４に対する弾性部材１６の取り付け位置又は弾性部材１６の長さ寸法を考慮することにより、変更することができる。造花２２が取り付けられる前記物品の大きさに適合するように、種々の大きさの前記輪を有する複数種のリボン１０を準備しておくことができる。
【００２５】
両紐１４の一部分１４ｃ以外の残りの部分１４ｄ、すなわち弾性部材１６と両紐１４の他端部１４ｂとの間の部分１４ｄは切除することができる。この場合、残りの両部分１４ｄをわずかな量だけ残して切除し、残った両部分で弾性部材１６に重ね合わせ、これを被覆することができる。あるいは、また、前記物品にシール（図示せず）を貼り付け、該シールにより、露出状態の又は前記被覆された状態の弾性部材１６を覆い隠すようにすることができる。残りの両部分を切除することなしに、又は適当長さを切除した後、残りの両部分１４ｄを互いに結び合わせ手、例えば蝶結びにすることもできる。
【図面の簡単な説明】
【００２６】
【図１】本考案に係る造花形成用リボンの部分断面を含む平面図である。
【図２】造花の形成途上にある造花形成用リボンの斜視図である。
【図３】物品に取り付けられた造花の正面から見た斜視図である。
【図４】物品に取り付けられた造花の背面から見た斜視図である。
【符号の説明】
【００２７】
１０  造花形成用リボン
１２  ストリップ
１４  紐
１６  弾性部材
１８，２０  結合個所
２２，２４  造花及び物品
【図１】
0003116547.tif 000003
【図２】
0003116547.tif 000004
【図３】
0003116547.tif 000005
【図４】
0003116547.tif 000006